【事件の表示】
　特願２００４−５３４９３１「グリッドガイドラインの電磁誘導層を内装したタッチスクリーン」拒絶査定不服審判事件〔平成１６年　３月２５日国際公開、ＷＯ２００４／０２５４５５、平成１７年１２月２２日国内公表、特表２００５−５３９３０２〕について、次のとおり審決する。
【結　論】
　本件審判の請求は、成り立たない。
【理　由】
第１．手続の経緯
　本願は、平成１４年９月２７日（パリ条約に基づく優先権主張　２００２年９月１６日　中国）を国際出願日とする国際出願であって、 平成１９年２月５日付けで拒絶理由が通知され、これに対して、平成１９年４月２６日付けで意見書が提出されるとともに手続補正（以下、「補正１」という。）がなされ、平成１９年８月１７日付けで最後の拒絶理由が通知され、これに対して、平成１９年１０月２４日付けで意見書が提出されるとともに手続補正（以下、「補正２」という。）がなされたが、平成１９年１１月２８日付けで補正２について補正却下の決定がなされるとともに拒絶査定がなされ、これに対して平成２０年２月２８日に拒絶査定不服審判が請求されるとともに、同日付けで手続補正がなされたものである。
　　
　　
第２．平成２０年２月２８日付けの手続補正についての補正却下の決定
［補正却下の決定の結論］
　平成２０年２月２８日付けの手続補正（以下、「本件補正」という。）を却下する。
　　
 ［理由］
１．補正内容
　本件補正は、補正前の特許請求の範囲（補正１の特許請求の範囲）の請求項１：
「　　【請求項１】
少なくとも、ディスプレイスクリーンとケースを含んで、ディスプレイスクリーンの後ろに誘導層を設け、誘導層の出力は誘導捕集制御回路に接続し、ケース内にディスプレイスクリーンのコントロール回路を設けているグリッドガイドラインの誘導層を内装したタッチスクリーンであって、
上記誘導層は、ガイドラインがそれぞれX、Y軸方向に沿って巻いてなる格子配列された経緯線ネットであり、ガイドラインは交叉点で相互に絶縁し、各グリッドが囲んでなる空間が一つの誘導セルを構成し、
　上記誘導コントロール回路と誘導層の両者が、一体に直接に連結し、誘導コントロール回路の構成要素を直接に経緯線ネットの出力端に設けて、誘導コントロール回路がケース内に設けられていることを特徴とするグリッドガイドラインの電磁誘導層を内装したタッチスクリーン。」を、
　　　　　　　　
「　　【請求項１】
　ディスプレイスクリーンとケースを備えるタッチスクリーンであって、
　前記ディスプレイスクリーンの後には、周縁に定位柱を備える複数のガイドライン誘導層が配され、
　前記ガイドライン誘導層の出力は誘導捕集制御回路に接続し、
　前記ケース内には、ディスプレイスクリーンのコントロール回路が配され、
　前記ガイドライン誘導層は、前記定位柱を通じてそれぞれＸ、Ｙ軸方向に沿って巻かれたガイドラインからなる経緯線ネットを備え、
　前記Ｘ、Ｙ軸方向に巻かれたガイドラインは、交叉点で相互に絶縁され、各グリッドが囲んでなる空間が一つの誘導セルを構成し、
　前記ガイドラインは、その表面が絶縁層で覆われたエナメル線であり、
　前記複数のガイドライン誘導層は重ね合わされ、複数の層を形成し、
　各層の前記誘導セルは、互いに格子配列されるとともに、前記各層の誘導セルの間隔の大きさは同じ或いは異なり、
　前記誘導捕集制御回路と前記ガイドライン誘導層の両者が、一体に直接に連結し、前記誘導捕集制御回路の構成要素を直接的に前記経緯線ネットの出力端に設けて、前記誘導捕集制御回路が前記ケース内に設けられ、
　前記ガイドライン誘導層の面積は、前記ディスプレイスクリーンの面積よりも小さく、前記ガイドライン誘導層は、前記ディスプレイスクリーンの一部に付設するとともに前記ディスプレイスクリーンの表示範囲の一側に位置していることを特徴とするグリッドガイドラインの電磁誘導層を内装したタッチスクリーン。」
　　　
と補正することを含むものである。
　　
　すなわち、本件補正は、請求項１において、
  　　　
ａ．「複数のガイドライン誘導層は重ね合わされ、複数の層を形成していること」を規定し、
　　　　
ｂ．「ガイドライン誘導層は定位柱を有し、ガイドラインは定位柱を通じて巻かれていること」を規定し、
　　　　
ｃ．「ガイドラインは、その表面が絶縁層で覆われたエナメル線であること」を規定し、　　　
ｄ．「各層の誘導セルは、互いに格子配列されるとともに、各層の誘導セルの間隔の大きさは同じ或いは異なること」を規定し、
　　　
ｅ．「ガイドライン誘導層の面積は、ディスプレイスクリーンの面積よりも小さく、前記ガイドライン誘導層は、前記ディスプレイスクリーンの一部に付設するとともに前記ディスプレイスクリーンの表示範囲の一側に位置していること」を規定したものである。
　　　　
　　　　
２．補正の目的　　　　
　上記補正事項ａ．〜ｅ．は、発明特定事項であるガイドライン誘導層、ガイドライン、及び誘導セルを限定したものであるから、特許請求の範囲の減縮を目的としたものである。
　　
　そこで、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について以下に検討する。
　　　
　　　
３．刊行物及び引用発明
　原査定の拒絶の理由に引用された刊行物１（特開平５−２１０４５２号公報）には、図面とともに、以下の事項が記載されている。
　　　　　
（ａ）段落番号【００１３】
「【００１３】
【実施例】図１は、ノートブック型コンピュータ環境で構成される電磁ディジタイザ・アセンブリの断面図であり、データを表示するための液晶（ＬＣＤ）またはその他の表示装置１２及びバックライト１３を含む。ペンまたはスタイラス１６は、磁気コイル１７を含み、センサ・グリッド２２による電磁信号の検出を介して書込み面１０上の所望の点を指定または入力するために使用される。演算回路１４が指定された点の座標値を計算する。静電シールド１５が、センサ・グリッド２２をＬＣＤ１２またはバックライト１３によって発生される静電雑音から隔離する。表示装置１２、バックライト１３、及び静電シールド１５を含む、センサ・グリッド２２と書込み面１０の間に配置されたすべての構成要素は、一括して１９として示してある。シールド・プレート２４は、歪みまたは干渉磁界の内部発生源からのシールドを行い、これが純粋に導電性シールドの場合には、外部発生源からの雑音をある程度減少させる。干渉の内部発生源としては、演算回路１４、及び変圧器、接地板、金属構造要素などの導電性材料または強磁性材料１８を含む。干渉の外部発生源は、図１では発生源２０で表してある。本発明のシールド材が使用できる電磁ディジタイザの１例は、１９９１年５月６日付の米国特許出願第０７／６９６４３４号に記述されている。」
　　　
（ｂ）段落番号【００１５】
「【００１５】図３は、ノートブック型コンピュータ環境で実装するように構成された電磁ディジタイザの断面図である。この構成のディジタイザは、従来のデスクトップ型構成の場合と同様に、ケース１１、演算回路１４、及び導電性材料または強磁性材料１８を含む。しかし、この構成は、書込み面１０とセンサ・グリッド２２の間に配置された構成要素（一括して１９として示す）を含む。構成要素１９としては、図１に示した表示装置１２、バックライト１３、及び静電シールド１５が含まれる。図３の構成に示すシールド・プレート２６は、強磁性材料、すなわち高透磁率の材料からなる。」
　　　
（ｃ）段落番号【００１８】
「【００１８】図６は、導電性シールド・プレート３０と接触するセンサ・グリッドの構成要素を示す斜視図である。図５に示したように、センサ・グリッド２２は、ワイヤ・ループ２３及びセンサ・グリッド基板２１からなる。図６に示すように、ワイヤ・ループ２３は、ワイヤ２７の対から構成される。ワイヤ・ループは、閉じた経路を形成し、その周りでペン・コイル１７からの磁気誘導によって信号電圧が発生する。ワイヤ・ループは、任意の導電性材料で製造でき、永久的なものでも一時的なものでもよい。永久ループは、ワイヤ対２７の物理的に連続な接続によって形成される。一時ループは、電子スイッチを使って様々なワイヤを対を形成するように選択することによって形成される。したがって、永久ループの幅は、固定されるが、一時ループの幅は、そのループを形成するためにどの２本のワイヤが選択されたかに応じて変化する。図をわかりやすくするため、図６では１組のループだけを示してある。指定された点の他の座標を決定するには、図６に示した１組のループに垂直な、もう１組のループが必要になる。」
　　　　　
（ｄ）図１には、表示装置１２、バックライト１３、及び静電シールド１５から成る構成要素１９の後ろにセンサ・グリッド２２が示されている。
　　　　　
　したがって、刊行物１には次の発明（以下、「引用発明１」という。）が記載されていると認められる。
　　　
「電磁ディジタイザであって、
　磁気コイル１７を含むペン１６が、センサ・グリッド２２による電磁信号の検出を介して書込み面１０上の所望の点を指定または入力するために使用され、
　前記電磁ディジタイザは、ケース１１、指定された点の座標値を計算する演算回路１４、及び導電性材料または強磁性材料１８を含み、表示装置１２、バックライト１３、及び静電シールド１５を含む構成要素１９の後ろにセンサ・グリッド２２を配置しており、
　センサ・グリッド２２は、ワイヤ・ループ２３及びセンサ・グリッド基板２１からなり、ワイヤ・ループ２３は、ワイヤ２７の対から構成され、閉じた経路を形成し、その周りでペン・コイル１７からの磁気誘導によって信号電圧が発生し、該ワイヤ・ループ２３は、任意の導電性材料で製造でき、永久的なものでもよく、指定された点の他の座標を決定するには、１組のループに垂直な、もう１組のループが必要になる、
　電磁ディジタイザ。」
　
　　　
　また、原査定の拒絶の理由に引用された刊行物２（特開平６−２３０８８１号公報）には、図面とともに、以下の事項が記載されている。　　
　　　
（ｅ）段落番号【０００５】　
「【０００５】電磁誘導方式の座標検出装置に用いられる回路基板はセンス部と処理回路に分けて考えることができる。ここに、センス部とは、座標検出面の有効エリアに対応して設けられる回路基板の部分であり、例えばループコイルがＸ軸方向、Ｙ軸方向のそれぞれに並設された形状を有するセンス線の集合からなるものである。また、処理回路とは、センス部に対して電力を供給する回路、座標計算をする回路、制御回路等を含むものである。センス部と処理回路とは一つのプリント基板にて一体的に作製することもそれぞれ別のプリント基板にて構成することも可能である。」
　　
　したがって、刊行物２には次の発明（以下、「引用発明２」という。）が記載されていると認められる。
　
「座標検出面の有効エリアに対応して設けられる回路基板の部分であり、ループコイルがＸ軸方向、Ｙ軸方向のそれぞれに並設された形状を有するセンス線の集合からなるセンス部と、センス部に対して電力を供給する回路、座標計算をする回路、制御回路等を含む処理回路とを一つのプリント基板にて一体的に作製した
　電磁誘導方式の座標検出装置。」
　　
   　
　また、刊行物３（特開平１０−１０５３２２号公報）には、図面とともに、以下の事項が記載されている。　　
　　　
（ｆ）段落番号【００１６】
「本発明は以上の事情を考慮してなされたもので、例えば、Ｘ軸、Ｙ軸に対し各２層のセンスコイルを所定の間隔でタブレット内に埋め込み、コンピュータにペンの傾きに起因する入力誤差を補正させ、ペン先の正確な位置座標と傾き角度を得て文書処理することができるタブレット装置とそれを用いた文書処理装置並びにタブレット装置制御プログラムを記憶した媒体を提供するものである。」
　　　
　　　
　また、刊行物４（実願平３−８１７４０号（実開平５−２５５２４号公報）のＣＤ−ＲＯＭ）には、図面とともに、以下の事項が記載されている。　　
　　　　
（ｇ）段落番号【０００１】
「　【０００１】
　　【産業上の利用分野】
　本考案はＣＡＤ等に使用される情報入力装置に係わり、特にディスプレイ装置の表示盤面上に装着して使用される電磁誘導方式の透明デジタイザセンサ板に関するものである。」　　　　
　　　　　　
（ｈ）段落番号【００１２】−【００１６】
「　【００１２】
　　【実施例】
　以下、本考案を図１，図２によって説明する。図１において１は四辺形の開口部１０を形成するセンサ線布線用の枠板，２は枠板１の各辺板上に所定間隔で設立されたセンサ線折り返し用のピン，３，３はそれぞれ枠板１上のＸ軸方向とＹ軸方向に蛇行状に布線されたセンサ線４，４はそれぞれＸ軸方向及びＹ軸方向に布線されたセンサ線の各端末部，５はＸ軸方向及びＹ軸方向センサ線の各交点を接着剤で固着した固着点、８は透明ガラス平板、９は枠板１と透明ガラス平板８とを平板部１２により所定の間隔に支持固定する額縁状支持枠で、支持枠の額縁部にはセンサ線３，３の端末部４，４を導出する導出口１１を有する。
　　　【００１３】
　本考案の透明デジタイザセンサ板は次のようにして製造される。センサ線布線用の枠板１上のＸ軸方向に極細マグネットワイヤを用いたセンサ線３を布線パターンに沿って、前記折り返し用ピン２に順次引っ掛け折り返しながら蛇行状に布線してＸ軸方向センサ線３を形成し、その端末４，４を枠板１から導出する。また、同様にしてＹ軸方向にＹ軸方向センサ線３を布線する。このとき、Ｘ軸方向とＹ軸方向の各センサ線３，３は各交点でそれぞれ接触し、Ｘ軸方向及びＹ軸方向センサ線の布線状態で折り返し用ピン２，２間に弛みを生じることのないよう布線される。
　　　【００１４】
　次に、Ｘ軸方向及びＹ軸方向センサ線３，３の各交点に例えば高粘稠性又は速硬性のエポキシ樹脂等の接着剤を塗布固着し、固着点５を形成する。
　　　【００１５】
　続いて、額縁状支持枠９の一方の側にＸ軸方向及びＹ軸方向センサ線３，３の布線固着された枠板１を嵌着支持し、Ｘ軸方向及びＹ軸方向センサ線３，３のそれぞれの端末部４，４をセンサ線端末部導出口１１，１１から導出させた状態で枠板１を縁状支持枠９に接着剤で接着固定する。
　　　【００１６】
　次に、センサ線布線用枠板１の支持固定された前記額縁状支持枠９の他方の側に透明ガラス板８を嵌着載置し接着剤により接着固定させて、透明デジタイザセンサ板が構成される。」
　　
　　　
　また、刊行物５（特開２００１−２８２４４３号公報）には、図面とともに、以下の事項が記載されている。　
　　　　　　
（ｉ）段落番号【０００１】
「　　　【０００１】
　　【発明の属する技術分野】
　この発明は、座標入力手段から発生する交番磁界により、座標入力シートに敷設された導線に発生する信号に基づいて上記座標入力手段の位置座標を読み取る座標読取装置に関する。」
　　　　
（ｊ）段落番号【００２７】−【００２８】
「【００２７】［ノイズの影響に関する実験］次に、本発明者らが行ったノイズの影響に関する実験について図９を参照して説明する。図９（Ａ）はパネル２２の厚さを示す説明図であり、図９（Ｂ）は図９（Ａ）に示すパネル２２の厚さと、ノイズレベルおよびＳＮ比との関係を示すグラフである。最初に、本発明者らは、ノイズレベルがどのぐらいであると、位置座標の読取精度に好ましくない影響を与えるかについて検討した。たとえば、ループ状パターンから検出できる電圧の最大値が３．３Ｖであり、その最大値を検出したときのＡ／Ｄ変換回路５２（図７）のカウント値が２５６（８ｂｉｔ）であるとすると、そのカウント値に約２〜３の誤差が発生すると、検出する位置座標に好ましくない影響を及ぼすことが分かった。たとえば位置座標に０．４ｍｍの誤差が発生してしまうことが分かった。そして、カウント値２〜３をノイズレベルに換算すると約３０ｍＶとなった。
【００２８】つまり、ノイズレベルが３０ｍＶ以下になるようにパネル２２の厚さｈｓを設定すればよいことが分かった。そこで、本発明者らは、パネル２２の厚さｈｓを０．１ｍｍ〜１．６ｍｍまで変化させて、ループ状パターン２３により検出されるノイズレベルおよびＳＮ比を測定した。その結果、図９（Ｂ）に示すように、パネル２２の厚さｈｓが１．０ｍｍ以上になると、ノイズレベルが３０ｍＶ以下になることが分かった。なお、従来のエナメル線や銅箔を用いたものは、ループの抵抗値は、１０Ω以下であり、ノイズ自体の発生が小さいが、上記のようなパネル厚さを選択することは、ループコイル抵抗値が１０Ω以上でノイズ発生が多い場合に特に有効である。」
　　　
　　　
　また、刊行物６（特開昭６１−２１７８２６号公報）には、図面とともに、以下の事項が記載されている。　　　
　　　
（ｋ）第４頁右上欄第３−１０行
「本発明を適用した光学式位置検出装置の他の実施例として、第６図に示すように、前記光学式位置検出装置を画像表示装置の一部に適用することも可能である。すなわち、第６図に示すように画像表示面（７１）の一部に沿って発光素子（７２）乃至（７５）と受光素子列（７６）及び（７７）を配設することにより画像表示面（７１）の一部について位置検出を行うことができる。」
　　　　
　　　　
４．本願補正発明と引用発明１との一致点・相違点
　　　　
　引用発明１の表示装置１２、バックライト１３、及び静電シールド１５を含む構成要素１９が、本願補正発明のディスプレイスクリーンに相当するから、引用発明１の「表示装置１２、バックライト１３、及び静電シールド１５を含む構成要素１９とケース１１を含む電磁ディジタイザ」は、本願補正発明の「ディスプレイスクリーンとケースを備えるタッチスクリーン」に相当する　
　　　　
　引用発明１のセンサ・グリッド２２が、本願補正発明のガイドライン誘導層に相当するから、引用発明１の電磁ディジタイザは、本願補正発明のタッチスクリーンと、「前記ディスプレイスクリーンの後には、ガイドライン誘導層が配され」ている点で一致している。
　　　　　
　引用発明１のセンサ・グリッド２２は、「１組のループ」と「１組のループに垂直な、もう１組のループ」を有しており、これらは、本願補正発明の「それぞれＸ、Ｙ軸方向に沿って巻かれたガイドラインからなる経緯線ネット」に相当するから、引用発明１の電磁ディジタイザは、本願補正発明のタッチスクリーンと、「前記ガイドライン誘導層は、それぞれＸ、Ｙ軸方向に沿って巻かれたガイドラインからなる経緯線ネットを備え」ている点で一致している。　
　
　引用発明１のセンサ・グリッド２２の「１組のループ」と「１組のループに垂直な、もう１組のループ」とは、直交することにより格子を形成するから、引用発明１の電磁ディジタイザは、本願補正発明のタッチスクリーンと、「前記Ｘ、Ｙ軸方向に巻かれたガイドラインは、各グリッドが囲んでなる空間が一つの誘導セルを構成し」ている点、及び「誘導セルは、互いに格子配列される」点で一致している。　
　　　　　　　　
　したがって、本願補正発明と引用発明１の一致点・相違点は、次のとおりである。
　　　
［一致点］
「ディスプレイスクリーンとケースを備えるタッチスクリーンであって、
　前記ディスプレイスクリーンの後には、ガイドライン誘導層が配され、
　前記ガイドライン誘導層は、それぞれＸ、Ｙ軸方向に沿って巻かれたガイドラインからなる経緯線ネットを備え、
　前記Ｘ、Ｙ軸方向に巻かれたガイドラインは、各グリッドが囲んでなる空間が一つの誘導セルを構成し、
　前記誘導セルは、互いに格子配列されていることを特徴とするグリッドガイドラインの電磁誘導層を内装したタッチスクリーン。」である点。　
　　　　　　　　　
［相違点１］
　本願補正発明では、ガイドライン誘導層は、複数のガイドライン誘導層から構成されており、該複数のガイドライン誘導層は重ね合わされ、複数の層を形成しており、各層の誘導セルの間隔の大きさは同じ或いは異なっているのに対して、引用発明１には、センサ・グリッド２２が、複数のセンサ・グリッドから成っていることは記載されていない点。
　　　　　
［相違点２］
　本願補正発明では、ガイドライン誘導層の出力は誘導捕集制御回路に接続し、前記誘導捕集制御回路と前記ガイドライン誘導層の両者が、一体に直接に連結し、前記誘導捕集制御回路の構成要素を直接的に前記経緯線ネットの出力端に設けて、前記誘導捕集制御回路が前記ケース内に設けられているのに対して、引用発明１では、センサ・グリッド２２と誘導捕集制御回路との関係について記載されていない点。
　　　　
［相違点３］
　本願補正発明では、ガイドライン誘導層は周縁に定位柱を備え、ガイドラインは前記定位柱を通じて巻かれているのに対して、引用発明１では、定位柱について記載されていない点。
　　　　　
［相違点４］
　本願補正発明では、ケース内には、ディスプレイスクリーンのコントロール回路が配されているのに対して、引用発明１では、表示装置１２、バックライト１３、及び静電シールド１５を含む構成要素１９のコントロール回路について記載されていない点。
　　　　
［相違点５］
　本願補正発明では、Ｘ、Ｙ軸方向に巻かれたガイドラインは、交叉点で相互に絶縁され、ガイドラインは、その表面が絶縁層で覆われたエナメル線であるのに対して、引用発明１では、「ワイヤ・ループ２３は、任意の導電性材料で製造でき、永久的なものでもよく、」と記載されている点。
　　　　　　
［相違点６］
　本願補正発明では、ガイドライン誘導層の面積は、ディスプレイスクリーンの面積よりも小さく、前記ガイドライン誘導層は、前記ディスプレイスクリーンの一部に付設するとともに前記ディスプレイスクリーンの表示範囲の一側に位置しているのに対して、引用発明１では、表示装置１２、バックライト１３、及び静電シールド１５を含む構成要素１９とセンサ・グリッド２２の面積の大小関係及び位置については記載されていない点。
　　　
　　　
５．相違点についての検討
　　　　
［相違点１について］
　刊行物３には「Ｘ軸、Ｙ軸に対し各２層のセンスコイルを所定の間隔でタブレット内に埋め込み、コンピュータにペンの傾きに起因する入力誤差を補正させ」ることが記載されているから、引用発明１において、センサ・グリッド２２を２枚重ねてＸ軸、Ｙ軸に対し各２層のワイヤループを所定の間隔で配置し、ペン１６の傾きに起因する入力誤差を補正することは、刊行物３から容易に想到できたことである。そして、センサ・グリッド２２を２枚重ねれば、各層の誘導セルの間隔の大きさは同じか、或いは異なっているの２種類しかあり得ないことは明らかである。　
　　　　
［相違点２について］
　引用発明１では、磁気コイル１７を含むペン１６が、センサ・グリッド２２による電磁信号の検出を介して書込み面１０上の所望の点を指定または入力するために使用され、また指定された点の座標値を計算する演算回路１４を有しているから、センサ・グリッド２２からの信号を集めて演算回路１４に渡すための誘導捕集制御回路を有していることは明らかである。
　また、引用発明２は、電磁誘導方式の座標検出装置において、ループコイルがＸ軸方向、Ｙ軸方向のそれぞれに並設された形状を有するセンス線の集合からなるセンス部と、センス部に対して電力を供給する回路、座標計算をする回路、制御回路等を含む処理回路とを一つのプリント基板にて一体的に作製することを開示しているから、引用発明１において、センサ・グリッド２２、誘導捕集制御回路及び演算回路１４を一つのプリント基板にて一体的に作製することは、容易に想到できたことである。
　そして、このように引用発明１において、センサ・グリッド２２、誘導捕集制御回路及び演算回路１４を一つのプリント基板にて一体的に作製すれば、センサ・グリッド２２の出力は誘導捕集制御回路に接続され、前記誘導捕集制御回路と前記センサ・グリッド２２の両者が、一体に直接に連結され、前記誘導捕集制御回路の構成要素を直接的にセンサ・グリッド２２の出力端に設けて、前記誘導捕集制御回路がケース１１内に設けられていることは、明らかである。
　　　　　　　　　　　　
［相違点３について］
　刊行物４には、透明デジタイザセンサ板を作成する時に、センサ線布線用の枠板の各辺板上に所定間隔でセンサ線折り返し用のピンを設立して、極細マグネットワイヤを用いたセンサ線を布線パターンに沿って、前記折り返し用ピンに順次引っ掛け折り返しながら布線することが開示されているから、引用発明１において、センサ・グリッド２２の周縁に所定間隔でセンサ線折り返し用のピンを設立して、ワイヤを折り返し用ピンに順次引っ掛け折り返しながら布線することは、容易に想到できたことである。
　このように構成した場合のセンサ線折り返し用のピンは、本願補正発明の定位柱に相当する。
　　　　　　　　　　
［相違点４について］
　引用発明１に、明記されていないが、表示装置１２及びバックライト１３のコントロール回路が存在していることは明らかである。そして該コントロール回路については、電磁ディジタイザと別体にして導線で接続するよりも、電磁ディジタイザのケース１１に内に配置する方が好ましいことは、当業者が普通に考えることである。
　　　　　
［相違点５について］
　引用発明１における「１組のループ」及び「１組のループに垂直な、もう１組のループ」は、それぞれ、指定された点のＹ座標、Ｘ座標を独立に検出するためのものであるから、交叉点で相互に絶縁されている必要があることは明らかである。また、刊行物５に記載されているように、座標入力手段から発生する交番磁界により、座標入力シートに敷設された導線に発生する信号に基づいて上記座標入力手段の位置座標を読み取る座標読取装置において、ループにエナメル線を用いることは、従来から行われていることであるから、引用発明１におけるワイヤ・ループ２３を、その表面が絶縁層で覆われたエナメル線とすることは、当業者が容易に想到できたことである。　
　　　
［相違点６について］
　刊行物６には、画像表示面（７１）の一部について位置検出を行うことが記載されているから、引用発明１において、センサ・グリッド２２の面積を表示装置１２の面積より小さくして、センサ・グリッド２２を表示装置１２の表示範囲の上側寄り、下側寄り、右側寄り、又は左側寄りの位置に、構成要素１９に付設することは、容易に想到できたことである。
　　　　　　
　そして、本願補正発明の作用効果も、引用発明１，２及び刊行物３〜６に記載された発明から当業者が予測できる範囲のものである。
　したがって、本願補正発明は、引用発明１，２及び刊行物３〜６に記載された発明に基づいて、当業者が容易に発明をすることができたものであるから、特許法２９条２項の規定により特許出願の際独立して特許を受けることができないものである。
　　　　　
　　　　　
６．むすび
　以上のとおり、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　　　
　　　
第３．本願発明について
　本件補正は上記のとおり却下された。また、補正２は、既に拒絶査定と同日の平成１９年１１月２８日に却下されているので、本願の請求項１に係る発明（以下、「本願発明」という。）は、補正１の特許請求の範囲の請求項１に記載された事項により特定される次のとおりものである。
　　　　　　　
「　　【請求項１】
少なくとも、ディスプレイスクリーンとケースを含んで、ディスプレイスクリーンの後ろに誘導層を設け、誘導層の出力は誘導捕集制御回路に接続し、ケース内にディスプレイスクリーンのコントロール回路を設けているグリッドガイドラインの誘導層を内装したタッチスクリーンであって、
上記誘導層は、ガイドラインがそれぞれX、Y軸方向に沿って巻いてなる格子配列された経緯線ネットであり、ガイドラインは交叉点で相互に絶縁し、各グリッドが囲んでなる空間が一つの誘導セルを構成し、
　上記誘導コントロール回路と誘導層の両者が、一体に直接に連結し、誘導コントロール回路の構成要素を直接に経緯線ネットの出力端に設けて、誘導コントロール回路がケース内に設けられていることを特徴とするグリッドガイドラインの電磁誘導層を内装したタッチスクリーン。」
　　　　
　　　
１．刊行物及び引用発明　　　
　原査定の拒絶の理由に引用された刊行物、及び引用発明は、前記「第２．３．」に記載したとおりである。　
　　　　　
　　　　　
２．本願発明と引用発明１との一致点・相違点
　　　　
　引用発明１の表示装置１２、バックライト１３、及び静電シールド１５を含む構成要素１９が、本願発明のディスプレイスクリーンに相当するから、引用発明１の「表示装置１２、バックライト１３、及び静電シールド１５を含む構成要素１９とケース１１を備えた電磁ディジタイザ」は、本願発明の「ディスプレイスクリーンとケースを含むタッチスクリーン」に相当する　
　　　
　引用発明１のセンサ・グリッド２２が、本願発明の誘導層に相当するから、引用発明１の電磁ディジタイザは、本願発明のタッチスクリーンと、「ディスプレイスクリーンの後に、ガイドライン誘導層を設け」ている点で一致している。
　　　
　引用発明１のセンサ・グリッド２２が、本願発明のグリッドガイドラインの誘導層に相当するから、引用発明１の電磁ディジタイザは、本願発明のタッチスクリーンと、「グリッドガイドラインの誘導層を内装したタッチスクリーン」である点で一致している。
　　　
　引用発明１のセンサ・グリッド２２は、「１組のループ」と「１組のループに垂直な、もう１組のループ」を有しており、これらは直交することにより格子を形成するから、引用発明１の電磁ディジタイザは、本願発明のタッチスクリーンと、「上記誘導層は、ガイドラインがそれぞれX、Y軸方向に沿って巻いてなる格子配列された経緯線ネットであ」る点、及び「各グリッドが囲んでなる空間が一つの誘導セルを構成し」ている点で一致している。　　　　
　　　　
　したがって、本願発明と引用発明１の一致点・相違点は、次のとおりである。
　　　　　
［一致点］
「少なくとも、ディスプレイスクリーンとケースを含んで、ディスプレイスクリーンの後ろに誘導層を設けた、グリッドガイドラインの誘導層を内装したタッチスクリーンであって、
上記誘導層は、ガイドラインがそれぞれX、Y軸方向に沿って巻いてなる格子配列された経緯線ネットであり、各グリッドが囲んでなる空間が一つの誘導セルを構成している、
　グリッドガイドラインの電磁誘導層を内装したタッチスクリーン。」である点。　
　　　　　　　
　　　　　　　
［相違点１１］
　本願発明では、誘導層の出力は誘導捕集制御回路に接続し、上記誘導コントロール回路と誘導層の両者が、一体に直接に連結し、誘導コントロール回路の構成要素を直接に経緯線ネットの出力端に設けて、誘導コントロール回路がケース内に設けられているのに対して、引用発明１では、センサ・グリッド２２と誘導捕集制御回路及び誘導コントロール回路との関係について記載されていない点。
　　　　
［相違点１２］
　本願発明では、ケース内にディスプレイスクリーンのコントロール回路を設けているのに対して、引用発明１では、表示装置１２、バックライト１３、及び静電シールド１５を含む構成要素１９のコントロール回路について記載されていない点。
　　　　
［相違点１３］
　本願発明では、ガイドラインは交叉点で相互に絶縁しているのに対して、引用発明１では、「１組のループ」と「１組のループに垂直な、もう１組のループ」の交叉点における接続又は絶縁について明記されていない点。
　　　
　　　
３．相違点についての検討
　　　
［相違点１１について］
　本願発明において「上記誘導コントロール回路」と記載されているが、その記載箇所より前に「誘導コントロール回路」という記載がないから、本願発明において、「誘導コントロール回路」は「誘導捕集制御回路」と同じ意味であると解される。
　　　　
　引用発明１では、磁気コイル１７を含むペン１６が、センサ・グリッド２２による電磁信号の検出を介して書込み面１０上の所望の点を指定または入力するために使用され、また指定された点の座標値を計算する演算回路１４を有しているから、センサ・グリッド２２からの信号を集めて演算回路１４に渡すための誘導捕集制御回路を有していることは明らかである。
　また、引用発明２は、電磁誘導方式の座標検出装置において、ループコイルがＸ軸方向、Ｙ軸方向のそれぞれに並設された形状を有するセンス線の集合からなるセンス部と、センス部に対して電力を供給する回路、座標計算をする回路、制御回路等を含む処理回路とを一つのプリント基板にて一体的に作製することを開示しているから、引用発明１において、センサ・グリッド２２、誘導捕集制御回路及び演算回路１４を一つのプリント基板にて一体的に作製することは、引用発明２から容易に想到できたことである。
　そして、このように引用発明１において、センサ・グリッド２２、誘導捕集制御回路及び演算回路１４を一つのプリント基板にて一体的に作製すれば、センサ・グリッド２２の出力は誘導捕集制御回路に接続され、前記誘導捕集制御回路（すなわち、誘導コントロール回路）と前記センサ・グリッド２２の両者が、一体に直接に連結され、前記誘導捕集制御回路（すなわち、誘導コントロール回路）の構成要素を直接にセンサ・グリッド２２の出力端に設けて、前記誘導捕集制御回路（すなわち、誘導コントロール回路）がケース１１内に設けられていることは、明らかである。
　　　　　　　　　　
［相違点１２について］
　引用発明１に、明記されていないが、表示装置１２及びバックライト１３のコントロール回路が存在していることは明らかである。そして該コントロール回路については、電磁ディジタイザと別体にして導線で接続するよりも、電磁ディジタイザのケース１１に内に配置する方が好ましいことは、当業者が普通に考えることである。
　　　　　
［相違点１３について］
　引用発明１における「１組のループ」及び「１組のループに垂直な、もう１組のループ」は、それぞれ、指定された点のＹ座標、Ｘ座標を独立に検出するためのものであるから、交叉点で相互に絶縁されている必要があることは明らかである。
　　　　　　　　
　そして、本願発明の作用効果も、引用発明１，２から当業者が予測できる範囲のものである。
　したがって、本願発明は、引用発明１，２に基づいて、当業者が容易に発明をすることができたものである。　
　　　
　　　
４．むすび
　以上のとおり、本願の請求項１に係る発明は、刊行物１，２に記載された発明に基づいて、当業者が容易に発明をすることができたものであるから、特許法第２９条第２項の規定により特許を受けることができない。
　したがって、本願のその余の請求項にかかる発明について検討するまでもなく、本願は拒絶されるべきものである。
　よって、結論のとおり審決する。